(57)【要約】      （修正有）【課題】肝臓疾患など基礎疾患がある患者や妊婦および授乳中の患者に対しても制限なく治療が可能であるとともに治療における個体差を解決し短期間で副作用がなくしかも安価で安全に抗真菌外用剤を爪表面から爪の深部にまで効率的に経皮吸収させる爪白癬治療用具を提供する。【解決手段】ドーム型容器１からなる爪白癬治療用具であって、該ドーム型容器の開口周辺部に設けられた接着剤を塗布する接合面に凹部構造の接着剤の逃げ溝３を設けて余剰の接着剤を該溝部に導入して接合面から余剰の接着剤が漏出してドーム型容器内に侵入するのを制御する。【選択図】図８
2013116250.tif 000002
【特許請求の範囲】
【請求項１】
弾性部材で成形されたドーム型容器であって、該ドーム型容器の開口周辺部の底面に設けられた接合面に接着剤の逃げ溝が設けられていることを特徴とする爪白癬治療用具。
【請求項２】
ドーム型容器の頂部の膜が側面の膜より薄膜に成形されていることを特徴とする請求項１に記載の爪白癬治療用具。
【請求項３】
ドーム型容器の膜の厚さが開口周辺部から上方部に向かって漸減していることを特徴とする請求項２に記載の爪白癬治療用具。
【請求項４】
弾性部材で成形されたドーム型容器の１以上の部位が他の部位より薄膜で成形されていることを特徴とする請求項１〜３に記載の爪白癬治療用具。
【請求項５】
ドーム型容器の薄膜が内部の陽圧によって反転可能な凹部状に成形されていることを特徴とする請求項１〜４のいずれかに記載の爪白癬治療用具。
【請求項６】
ドーム型容器の一部に押圧によって開口する抗真菌外用剤溶液注入口が設けられていることを特徴とする請求項１〜５のいずれかに記載の爪白癬治療用具。
【請求項７】
ドーム型容器の開口周辺部の底面に設けられた接合面の内側を他の部分から突起するように設けられていることを特徴とする請求項１〜６のいずれかに記載の爪白癬治療用具。
【発明の詳細な説明】
【技術分野】
【０００１】
本願発明は白癬菌に侵された爪を治療する爪白癬治療具に関するものであり、特に白癬菌に侵された爪の表面に抗真菌外用剤の溶液が充填されたドーム型容器を密封接着することにより白癬菌に侵された爪の深部にまで抗真菌外用剤溶液を効率よく含浸させることができる爪白癬用簡易治療具に関する。
【背景技術】
【０００２】
従来から爪白癬病に対する治療法としては、爪の表面に液状の抗真菌外用剤溶液を塗布したり抗真菌剤を内服する方法が一般的に採用されている。
しかしながら、従来の抗真菌外用剤を用いる方法は抗真菌外用剤が溶媒に溶けている状態でしか爪中に浸透しない上に溶媒が皮膚に直接触れることでもあり使用できる種類は限られている。しかも、使用可能な溶媒であってもその溶解濃度は最高でもせいぜい２％程度であり溶解性がきわめて悪く効率が悪い。
【０００３】
このため従来から採用されている爪の表面に抗真菌外用剤を直接塗布する方法は溶媒が直ぐ気化して粘度が高くなるため爪への浸透効果が不十分である。
爪はケラチンという蛋白質がレンガ壁状に幾重にも重なってできた硬い組織で構成されているため皮脂腺や汗腺を有しておらず溶媒となりうる汗や皮脂が分泌されることがない。しかも爪は３層構造で最表層が硬質で爪の表面に溶媒に溶解した抗真菌外用剤を塗布しても抗真菌外用剤が爪の深部にまで浸透するのに時間がかかってしまうため、抗真菌外用剤が爪の深部にまで浸透するまでに溶媒が揮発してしまい抗真菌剤が爪の深部に浸透するのが困難になる。
【０００４】
また、一般的に喘息や心臓疾患の人に用いられている経皮吸収テープのようなドライタイプのテープ材を爪白癬治療用として用いることも知られているが、経皮吸収テープに用いる適当な溶媒がないため抗真菌外用剤は溶解した状態にならず爪の深部にまで移行しない。また、爪に塗布されたマニキュアが最初に表面から乾燥し始め最後に爪に接する部分が乾燥するという性質を利用して、乾燥するまでの間に抗真菌外用剤を爪に浸透させるネイルラッカータイプの方法およびこのネイルラッカータイプに好適な抗真菌外用剤も知られてはいるが、この方法も溶媒として使用する溶媒が速やかに揮発してしまうので抗真菌外用剤を爪の深部にまで浸透させる方法としてはあまり有効ではない。
また、この他にも抗真菌外用剤溶液を含浸させたガーゼ等を爪の上に載せた後に指サック等で指全体を覆って密封する方法も知られているが、ガーゼ等に含浸された有機溶媒や抗真菌外用剤自体が爪以外の皮膚部分に長時間付着することになり皮膚かぶれの原因となる場合が多い。
【０００５】
しかも、これらの方法に用いられている従来の治療具は完全な密封型ではないため抗真菌外用剤の液剤が周囲に漏れることがあり、爪の深部に抗真菌外用剤が有効量注入されたか否かの正確な判断ができず効果にバラツキが生じるという問題もある。このような爪の表面に抗真菌外用剤を塗布する方法に代えて、内服抗真菌薬を服用する方法も知られているが薬の性質上、吸収率が非常に低いので内服しても爪の中への移行率が低く症例によっては抗真菌剤が爪中に全く移行していないこともあり十分な効果が得られないという問題がある。
しかも、この内服抗真菌薬による爪白癬の治療は効果において個体差があるだけでなく、爪が完治するまで治療を続ける必要があり通常１年前後と長期に亘るため薬剤の副作用で基礎疾患がある患者や妊婦等に対して治療が制限されるだけでなく治療費が嵩むなどの問題がある。
【０００６】
このような方法に変えて、爪の深部にまで抗真菌剤を浸透させる装置として、抗真菌外用剤を爪表面に必要量塗布した後、超音波発生素子から発生した超音波で爪表面に接触させた超音波伝達媒体を直接照射して抗真菌剤の爪深層への浸透を促進させる水虫の治療装置（特許文献１）、ギガヘルツ帯の電磁波を発振する電磁波発信器とギガヘルツ帯電磁波を出射する出射部を備え、該出射部を患部に向けて照射して角質層内の白癬菌や爪の内部や裏側の白癬菌を加熱殺菌するようにした水虫の治療装置（特許文献２）、さらには、患部を液体に浸漬させるための容器と、液体を加熱する加熱手段と、液体を強制循環させる強制循環手段と、液体の温度を計測する温度センサと、温度センサにより測定された温度に基づいて加熱手段を制御する制御手段とを備え、設定された治療温度に制御された液体に患部を浸漬させて深部体温を昇温し、皮膚内層部に温熱浸潤効果を生じさせることができる水虫治療装置（特許文献３）等の装置も知られているが、これら装置は大型であるとともに高価である。
【０００７】
上述のように、従来から知られている爪白癬に対する外用療法はあまり効果的なものではない。現時点では厚生労働省より承認されている爪白癬治療用の外用薬はなく、厚生労働省より承認されている爪白癬の治療方法としては数種類の内服薬が臨床現場で使用されているに過ぎない。本出願人は従来の爪白癬病の治療法の課題を解決するために、白癬菌に侵された爪の表面のみに溶媒に溶解した液状の抗真菌外用剤を適用することにより抗真菌外用剤を効率的に爪の深部まで含浸できるドーム型容器を創出し特許出願している（特許文献４）。
【０００８】
本出願人が先に特許出願した爪白癬治療用のドーム型容器は従来の爪白癬治療具に比較して簡便で効果的であるがこのドーム型容器は抗真菌外用剤溶液が注入されたドーム型容器を爪の表面に強固に保持させるためにドーム型容器の下方周辺部に幅広の縁部を設けることが要件となっている。ドーム型容器縁部の裏面には爪の表面に素早く密封結合させるために速乾型の接着剤が用いられているが白癬菌に侵されて表面が凹凸形状の爪にドーム型容器の縁部を短時間に装着することはかなりのテクニックを要するものであり、通常でも最低１５分程度、爪白癬病が進行している場合では装着に４０分程度かかることもある。
しかも、このドーム型容器の取り付け作業は爪表面に密封結合するだけではなく接着剤層に空気が混入したり、押圧する際に縁部の下面に塗布されている接着剤が縁部底面の接合面から漏出するのを防がなければならないという問題がある、と言うのも接着剤が縁部の内周側から漏出してドーム型容器の内部に入った場合、該接着剤が爪表面を覆って隔壁が出来ることがあり、その結果抗真菌剤溶液が爪の中に浸透できなくなる。また接着剤がドーム型容器の内部に入った場合に、接着剤と抗真菌剤外用剤の組み合わせによっては、該接着剤はドーム型容器内の抗真菌外用剤の溶媒に溶解される事があり、その場合溶解された接着剤が徐々に爪の表面に薄い膜を形成するため抗真菌剤溶液が爪の中へ浸透するのを妨害するという問題も生じ得る。
【先行技術文献】
【特許文献】
【０００９】
【特許文献１】特開２００４-１３５９５４号公報
【特許文献２】特開２００６-  ７５３５７号公報
【特許文献３】特開２００３-１２６１３６号公報
【特許文献４】特願２０１０−５３７６７４号                  （ＷＯ２０１０／０５５６２２  Ａ１）
【発明の概要】
【発明が解決しようとする課題】
【００１０】
爪白癬が進行して爪の形が大きく変形している患者の爪にドーム型容器を密封接着するには、開口周辺に設けられた接合面の裏面に多量の接着剤が塗布されたドーム型容器を爪表面に押圧するが、押圧する時に接着剤層に空気が混入されることもあり接着力が低下する原因になる。しかも、該縁部を押圧する際に接合面の底面に塗布されている接着剤が接合面から漏出することになる。
特に、問題となるのは接着剤がドーム型容器の内周側から漏出する場合には、
（イ）接着剤が爪表面を覆って隔壁が出来ることがあり、その結果抗真菌剤溶液が爪の中に浸透できなくなること、（ロ）接着剤と抗真菌剤外用剤の組み合わせによっては、該接着剤はドーム型容器内の抗真菌外用剤の溶媒に溶解される事があり、その場合溶解された接着剤が徐々に爪の表面に薄い膜を形成するため抗真菌剤溶液が爪の中に浸透できなくなることなどの問題が生じ得る。
本願発明は先に特許出願したドーム型容器の構造に基づく接着剤の漏出を解消することを主要な課題とするものである。
【課題を解決するための手段】
【００１１】
本願発明は上記の課題を解決するものとして、ドーム型容器からなる爪白癬治療用具であって、ドーム型容器の開口周辺部に設けられた接着剤を塗布する接合面に接着剤の逃げ溝を設けて余剰の接着剤を該溝部に導入し保持することによりドーム型容器の爪との接合面から接着剤の漏出を制御することを特徴とするものであり、第１の発明によれば、弾性部材で成形されたドーム型容器であって、該ドーム型容器の開口周辺部の底面に設けられた接合面に凹部形状からなる接着剤の逃げ溝が設けられていることを特徴とする爪白癬治療用具を提供する。
第２の発明によれば、ドーム型容器の頂部の膜厚が側面の膜厚より薄膜に成形されていることを特徴とする上記の爪白癬治療用具を提供する。
第３の発明によれば、ドーム型容器の膜厚が開口周辺部から上方部に向かって漸減していることを特徴とする上記の爪白癬治療用具を提供する。
第４の発明によれば、弾性部材で成形されたドーム型容器の少なくとも１以上の部位が薄膜で成形されていることを特徴とする上記の爪白癬治療用具を提供する。
第５の発明によれば、ドーム型容器の薄膜部がドーム型容器内部の陽圧によって反転可能な凹部状に成形されていることを特徴とする上記の爪白癬治療用具を提供する。
第６の発明によれば、ドーム型容器の一部に押圧によって開口する抗真菌外用剤溶液注入口を設けることにより注射器等を用いなくても抗真菌外用剤溶液を注入することができる上記の爪白癬治療用具を提供する。
第７の発明によれば、ドーム型容器の開口周辺部の底面に設けられた接合面の内側を他の部分から突起するように設けられていることを特徴とする上記の爪白癬治療用具を提供する。
【発明の効果】
【００１２】
本願発明のドーム型容器を用いる爪白癬の治療に用いる爪白癬治療用具は肝臓疾患など基礎疾患がある患者や妊婦および授乳中の患者にも治療可能であるだけでなく液状の抗真菌外用剤が装填されたドーム型容器を１日から数日の間爪の表面に密封接着するという簡単な操作で高い濃度の抗真菌外用剤を白癬菌に侵された爪の深部にまで浸透させることができる。白癬菌に侵された爪の表面への密着接合性が良好で接合面からの接着剤の漏出が抑制された爪白癬治療用具を提供する。
本願第１の発明によれば、ドーム型容器の開口周辺部に設けられた接着剤を塗布する接合面に接着剤の逃げ溝を設けて余剰の接着剤を該溝部に導入し保持することによりドーム型容器の爪との接合面から接着剤の漏出を制御することができる。
本願第２〜第４の発明によれば、上記の効果に加えて、ドーム型容器に膜厚部を設けることにより白癬菌に侵された爪の表面にドーム型容器を安定に密封接着することができる。また、ドーム型容器に薄膜部を設けて膨張可能にすることによりドーム型容器内部の圧力調整ができる。さらには、ドーム型容器に膜厚部を設けることにより抗真菌外用剤溶液を注入した後の注射器の針穴を自然閉鎖することができる。
本願第５の発明によれば、ドーム型容器に反転可能な薄膜部を設けることによりドーム型容器内の圧力を調整して抗真菌外用剤溶液を効率的に爪の深部に浸透させることができる。
本願第６の発明によれば、ドーム型容器の一部に押圧によって開口する抗真菌外用剤溶液注入口を設けることにより注射器等を用いなくても抗真菌外用剤溶液を注入することができる。
本願第７の発明によれば、ドーム型容器の開口周辺部の接合面の内側を他の部分から突起するように設けることにより接着剤のドーム型容器内への浸透を効率的に制御することができる。
【図面の簡単な説明】
【００１３】
【図１】ドーム型容器の使用形態を示す斜視図である。
【図２】ドーム型容器の斜視図である。
【図３】凹部形状を有するドーム型容器の斜視図である。
【図４】典型的なドーム型容器の斜視図である。
【図５】典型的な凹部形状を有するドーム型容器の斜視図である。
【図６】特殊な構造をしたドーム型容器の斜視図である。
【図７】接着剤の逃げ溝を有するドーム型容器の斜視図である。
【図８】複数の接着剤の逃げ溝を有するドーム型容器の斜視図である。
【図９】半球状の接着剤の逃げ溝を有するドーム型容器の斜視図である。
【図１０】接着剤の逃げ溝を示すドーム型容器の断面図である。
【図１１】密閉性が改良された接合面の断面図である。
【図１２】抗真菌外用剤溶液の注入口の模式図である。
【図１３】接合面に接着剤を塗布する態様を示す斜視図である。
【図１４】先願発明のドーム型容器の斜視図である。
【発明を実施するための形態】
【００１４】
本願発明は白癬菌に侵された爪を治療する爪白癬用簡易治療具に関するものであるが、この爪白癬の治療対象である爪は、ケラチンという蛋白質がレンガ壁状に幾重にも重なってできている硬い組織で形成されている上に皮脂腺や汗腺を有していないため溶媒となり得る汗や皮脂が分泌されず３層構造でしかも最表層が硬いため爪の表面に液状の抗真菌外用剤を塗布しても該抗真菌外用剤が爪の表面から爪の深部にまで浸透する前に溶媒が揮発してしまうという厄介な物性を有している。このため爪白癬の治療において、白癬菌に侵された爪の深部に十分な量の抗真菌外用剤を浸透させることが不可能とされてきた。
本願発明は白癬菌に侵された爪の表面に指サック状のドーム型容器からなる爪白癬治療具（以降、単にドーム型容器と称す）を密封接着した後、該ドーム型容器内に抗真菌外用剤を注入し、ドーム型容器内に注入した抗真菌外用剤を爪の深部にまで浸透させて爪白癬を治具する器具である。
【００１５】
本願発明の指サック状のドーム型容器を成形するための好適な成形部材としては可撓性および弾力性に優れた材質が好ましく、具体的には、ポリブタジエン系、ブタジエンアクリロニトリル系、クロロプレン系、アクリルゴム、アクリロニトリルブタジエンゴム、イソプレンゴム、ウレタンゴム、エチレンプロピレンゴム、エピクロルヒドリンゴム、クロロプレンゴム、シリコーンゴム、スチレンブタジエンゴム、ブタジエンゴム、フッ素ゴム、ポリイソブチレンゴム等のゴム系部材の使用が好適である。特に、注射器の針を挿入した際の破裂を確実に避けることができ、しかも種々の接着剤との相性がよいブチルゴムやイソプロピルゴムが好適な部材として例示することができる。
【００１６】
本願発明のドーム型容器の構造は外観的には本出願人が先に特許出願した図１４（Ａ）及び（Ｂ）の斜視図で示されているドーム型容器と大きな差はない（特許文献４）。本出願人が先に特許出願したドーム型容器は簡単な操作で白癬菌に侵された爪の深部に高い濃度の抗真菌外用剤を浸透させることが可能であり、従来の爪白癬治療具を用いたものより操作性が良好で、且つ爪の深部への抗真菌外用剤の浸透性が飛躍的に向上していることが確認されている。
ただ、本出願人が先に特許出願したドーム型容器は一般的な白癬病患者の爪に密封接着するには１５分程度であるが爪白癬病が進行して爪の形状が大きく変形している場合はドーム型容器の密封接着に４０分程度かかることもある。
【００１７】
しかも、ドーム型容器を爪に密封接着するのに４０分程度かかるだけではなく、爪白癬病の進行が進んでいる患者の爪は大きく変形していることもあり、爪にドーム型容器を密封接着するには縁部裏面に多量の接着剤が塗布されたドーム型容器を爪表面に押圧するため接着剤層に空気が混入されて接着力が劣化する原因になる。それに縁部を押圧するに際しては縁部の底面に塗布されている接着剤が縁部底面の外周側及び内周側の両側から漏出することにもなる。
特に、問題となるのは接着剤が縁部の内周側から漏出する場合には、（イ）接着剤が爪表面を覆って隔壁が出来ることがあり、その結果抗真菌剤溶液が爪の中に浸透できなくなること、（ロ）接着剤と抗真菌剤外用剤の組み合わせによっては、該接着剤はドーム型容器内の抗真菌外用剤の溶媒に溶解される事があり、その場合溶解された接着剤が徐々に爪の表面に薄い膜を形成するため抗真菌剤溶液が爪の中に浸透できなくなることなどの問題が生じることが分かった。本願発明は図１４（Ａ）及び（Ｂ）で示される先に出願したドーム型容器が有する問題点を解消することを課題とする。
【００１８】
図１〜図１３は本願発明のドーム型容器とその機構を示す斜視図であるが、本願発明のドーム型容器の外観は本出願人が先に出願したドーム型容器と大きく変わるところがなく、爪に接する部分が開口されてその開口周辺部が白癬菌に侵された爪の表面に抗真菌外用剤溶液が漏れないように密封結合が可能な構造であれば、円形柱状、楕円形柱状、多角形柱状、指サック形状、或いは椀型状等の種々の構造であっても良く、これらを総称してドーム型容器と称する。本願発明のドーム型容器が先に出願したドーム型容器と構造的に異なるのはドーム型容器の下方周辺開口部に設けられた爪との接合面、いわゆる先に出願したドーム型容器の縁部の底面に相当する部分において、爪と密封接着するためにドーム型容器の接合面を押圧しても接着剤が該接合面から漏出しない様にドーム型容器の接合面に接着剤の逃げ溝を設けた点にある。
すなわち、本願発明はドーム型容器の下方周辺開口部の接合面に接着剤の逃げ溝を設けることにより接着剤が漏出するのを防ぐだけでなく逃げ溝に導入された接着剤がドーム型容器と爪との接合強度に大きく寄与することになる。
【００１９】
本願発明のドーム型容器の具体的な構造と使用態様を以下に説明する。
図１はドーム型容器（１）内に注射器等の適当な圧入器（Ａ）で抗真菌外用剤溶液を注入している態様を示したものである。図２〜図６は本願発明で用いるドーム型容器（１）の幾つかを例示したものである。このドーム型容器（１）は弾性部材で成形されており全体が均質な膜厚で成形されていても良いが、好ましくは頂部（４）が薄く側面（５）が厚く成形されていることが好ましい。  
ドーム型容器（１）の頂部（４）を薄く側面（５）を厚く成形する理由は、
ドーム型容器（１）の頂部（４）から注射器等を用いて抗真菌外用剤を注入する際に誤って注射器の針を爪に突き刺す危険があるため注射器はドーム型容器（１）の側面（５）方向から抗真菌外用剤溶液を注入することが好ましいこと、及び注射器の針を突き刺すドーム型容器（１）の部位を膜厚にすることにより膜の弾性を利用して注射器の針穴を自然に閉口させるためである。また、頂部（４）の膜を薄く成形するのは膨張可能にしてドーム型容器内部の圧力調整を容易に行えるようにするためである。本願発明はこの様なドーム型容器（１）を用いるとともに該ドーム型容器（１）接合面（２）に接着剤の逃げ溝（３）を設けて密封接着時に接着剤の漏出を防ぐことを特徴とするものである。
【００２０】
図２は本願発明の典型例な構造を有するドーム型容器（１）の斜視図であり、このドーム型容器（１）は頂部（４）が薄膜に成形されるとともに、側面（５）の上方から下方に行くに従って徐々に膜厚に成形されている。そして、このドーム型容器（１）の下方周辺開口部の接合面（２）には点線で示されている周辺開口部と同心円状の接着剤の逃げ溝（３）が設けられている。
また、図３の斜視図で示されているドーム型容器（１）は、図２に示されているドーム型容器（１）に比較して、ドーム型容器（１）の頂部（４）が凹部形状をしている点で異なっている。この図３で示されているドーム型容器（１）の頂部（４）は通常は凹部形状をしているが、抗真菌外用剤が注入された際に内部が陽圧となり一時的に凸部形状になるが、このドーム型容器（１）が弾性部材で成形されているため成形時の凹部形状に戻ろうとする力が絶えず働いてドーム型容器（１）内の抗真菌外用剤溶液を爪の深部に浸透するのを促進する。
【００２１】
図４は本願発明の他の典型例な構造をしたドーム型容器の斜視図であるが、この図４で示されているドーム型容器（１）は頂部（４）の膜に比べて側面が膜厚であるという点では図３及び図４に示されているドーム型容器（１）と同じであるが、図３及び図４で示されるドーム型容器（１）が側面上部から側面下部に行くに従って徐々に膜厚になっているのに対して、図４で示されているドーム型容器（１）は側部（５）に円筒部材を嵌め込んだ形状をしており白癬菌に侵された爪の表面により安定に密封接着できるという利点を有している。
また、図５で示されているドーム型容器（１）は図４で示されているドーム型容器（１）に比較してドーム型容器（１）の頂部（４）が凹部形状をしている点で異なっている。この図５で示されているドーム型容器（１）の頂部（４）は通常は凹部形状をしているが、抗真菌外用剤が注入された場合に内部が高い陽圧になり凸部形状になるがドーム型容器（１）が弾性部材で成形されているため成形時の凹部形状に戻ろうとする力が絶えず働いてドーム型容器（１）内の抗真菌外用剤溶液を爪の深部に浸透するのを促進する。
【００２２】
図６の斜視図で示されているドーム型容器（１）は図２〜図５で示されているドーム型容器（１）とは構造が全く異なっている様に見えるが、図２〜図５で示されているドーム型容器とは本質的な差異点はなく、図６（Ａ）で示されているドーム型容器（１）の凹部形状（６）が薄膜に成形されており、これが図２〜図５に示されているドーム型容器（１）の頂部（４）の薄膜部分に相当してドーム型容器（１）内の圧力を調整する。即ち、図６（Ａ）で示されているドーム型容器（１）内に抗真菌外用剤溶液が注入された際に、凹部形状（６）は反転して図６（Ｂ）の状態となるが、ドーム型容器（１）が弾性部材で成形されているため、絶えず成形時の凹部形状である図６（Ａ）の形状に戻ろうとする力が働いてドーム型容器（１）内の抗真菌外用剤溶液を爪の深部に浸透するのを促進する力として働く。なお、ドーム型容器（１）内へ抗真菌外用剤溶液の注入は注射針を引き抜いた後の穴が弾性で閉口する凹部形状（６）以外の膜厚の部分から行うとよい。
【００２３】
図７はドーム型容器（１）の接合面（２）に設けられた接着剤の逃げ溝（３）の態様を分かり易く説明するために、ドーム型容器（１）を反転させて爪との接合面（２）にドーム型容器（１）の周辺開口部と同心円状の接着剤の逃げ溝（３）が設けられている態様を示したものである。また、図８はドーム型容器（１）を反転させて爪との接合面（２）にドーム型容器（１）の周辺開口部と同心円状の接着剤の逃げ溝（３）と該周辺開口部と同心円状の接着剤の逃げ溝（３）に連結した放射状の接着剤の逃げ溝（３）が設けられている態様を示したものであるが、この様に円周に対して斜めに溝を設けることにより接着剤が付いたドーム型容器を爪に圧着する際に横滑りし難い構造にするためである。
なお、本願発明の特徴であるドーム型容器の接合面に設けられる接着剤の逃げ溝の構造は、図７及び図８で示されている様な周辺開口部と同心円状や放射状に限定されるものではなく、例えば、図９に示されている様にゴルフボールの表面に設けられている窪み形状をしていても良い。要するに、本願発明の接着剤の逃げ溝（３）は接着剤が接合面から漏出するのを防ぐものであれば良い。
【００２４】
白癬菌に侵された爪は大きく変形していることがあり、ドーム型容器（１）が爪に馴染むことが必要であるだけでなく、ドーム型容器（１）の爪との接合面（２）には多量の接着剤を塗布することが必要であり、この余分の接着剤がドーム型容器（１）に漏出するのを防ぐために接着剤の逃げ溝（３）を設けるものである。図１０は本願発明の特徴である接着剤の逃げ溝（３）を分かり易く説明するために図示されたドーム型容器（１）の断面図である。図１１も図１０と同じく本願発明のドーム型容器（１）の断面図である。ドーム型容器（１）の接合面（２）は全体が平面であっても良いが図１０に示されている様にドーム型容器（１）の接合面（２）の内側部分を他の部分より突起（７）させる構造にして接着剤のドーム型容器（１）内への漏出を防ぐ構造がより好ましい。
【００２５】
図１２の（Ａ）（Ｂ）はドーム型容器（１）内に抗真菌外用剤溶液を注入するための注入口（８）である。ドーム型容器（１）内に抗真菌外用剤溶液を注入するに際してはドーム型容器（１）内に注射針等で直接注入することが行われるが人体に対して針を使用することは安全性の見地から近年抑制される方向にある。ドーム型容器（１）内への抗真菌外用剤溶液の注入は必ずしも注射器を用いて注入しなくても図１２（Ａ）（Ｂ）で示される様にドーム型容器の適当な部位にテニスボールの空気圧入穴と同じような穴を設けることができる。
図１３はドーム型容器（１）を保持具（９）に挿入して接着剤を塗布している態様を示す模式図である。本願発明のドーム型容器（１）を用いる爪白癬病の治療法は爪白癬菌に侵された爪の表面に手早くドーム型容器（１）を密封結合させることが必要であり接合面（２）に手早く接着剤（１０）を塗布できる適当なドーム型容器（１）の保持具（９）を用いることが好ましい。
【産業上の利用可能性】
【００２６】
抗真菌外用剤を爪表面から爪の深部にまで効率的に経皮吸収させ得る簡便な爪白癬治療具（ドーム型容器）を提供することにより、文明病と称される爪白癬に対して副作用がなく安全で安価に治療することが可能となり爪白癬用治療具として今後広く使用されることが期待される。
【符号の説明】
【００２７】
１  ドーム型容器（爪白癬治療具）
２  接合面
３  接着剤の逃げ溝
４  ドーム型容器の頂部
５  ドーム型容器の側部
６  ドーム型容器の凹部形状
７  突起
８  注入口
９  ドーム型容器の保持具
１０  接着剤容器
【図１】
2013116250.tif 000003
【図２】
2013116250.tif 000004
【図３】
2013116250.tif 000005
【図４】
2013116250.tif 000006
【図５】
2013116250.tif 000007
【図６】
2013116250.tif 000008
【図７】
2013116250.tif 000009
【図８】
2013116250.tif 000010
【図９】
2013116250.tif 000011
【図１０】
2013116250.tif 000012
【図１１】
2013116250.tif 000013
【図１２】
2013116250.tif 000014
【図１３】
2013116250.tif 000015
【図１４】
2013116250.tif 000016